(57)【特許請求の範囲】
【請求項１】
外部機器と接続されて信号の伝達を行うコネクタを一端に設けられた、紐状に形成された媒体であるケーブルを、筐体に回転可能に取り付けられたリールに巻きつけることにより筐体内部に収納し、
前記コネクタを引き出す向きと異なる向きに力を加えることにより解除されるよう前記コネクタを前記筐体に固定可能な固定部を有し、
前記固定部の横方向断面視において、
前記コネクタは、前記筺体の厚みに対応する複数の切り欠き部を有し、前記複数の切り欠き部が前記筺体に係合して固定された状態から、前記コネクタを前記筺体に近接する方向に回転させることにより、前記コネクタは前記筺体から解除されることを特徴とするコネクタつきケーブルの収納構造。
【請求項２】
請求項１に記載のコネクタつきケーブルの収納構造を有することを特徴とする情報処理装置。
【発明の詳細な説明】
【技術分野】
【０００１】
本発明は、コネクタの接続されたケーブルを外部に引き出し可能に巻き取って情報処理装置筐体の内部に保持するコネクタつきケーブルの収納構造、および、コネクタの接続されたケーブルを筐体外部に引き出し可能に保持する情報処理装置に関する。
【背景技術】
【０００２】
パーソナルコンピュータや携帯電話、ＰＤＡ（Personal Digital Assistant）などの情報処理装置は、処理対象となるデジタルデータの送受信や電力供給のため、外部機器との接続を行う場合がある。そのため、情報処理装置には、このような外部機器との接続のために筐体にコネクタを設けて構成されたものがある。
【０００３】
コネクタを備えた情報処理装置に、対象となる外部機器を接続するときは、外部機器の有するコネクタと情報処理装置の有するコネクタとを物理的に結合することで、コネクタ内部の端子を相互に通信可能にする。このとき、装置の配置状況によっては、筐体に設けられたコネクタに外部機器のコネクタを結合するのが困難な場合がある。例えば、プリンタなど比較的大型で移動しづらい機器との接続において、情報処理装置の位置がプリンタから遠くてケーブルが届かないときや、情報処理装置に設けられたコネクタ近傍に十分なスペースがない所でコネクタの位置が固定されたＵＳＢメモリや通信カードなどの外部機器を接続するときなどである。
【０００４】
特許文献１には、パーソナルコンピュータとマイクとを接続するケーブルを内蔵するリールで巻き取り可能なケーブルの収納構造が記載されている。
【先行技術文献】
【特許文献】
【０００５】
【特許文献１】特開平１０−３２００７８号公報
【発明の概要】
【発明が解決しようとする課題】
【０００６】
特許文献１に記載の収納構造によると、パーソナルコンピュータなどの情報処理装置を、コネクタに接続されたケーブルが筐体内部に収納されるように構成することができる。
【０００７】
しかし、外部機器と接続されるコネクタの情報処理装置筐体内部への収納に、外部機器との接続を想定していないマイクについて適用することを前提とした構成を採用すると、ケーブルが巻き取られた時にも引き出された時にケーブル先端に設けられたコネクタが支えられていないため、この状態でコネクタに外部機器のコネクタを結合させるときにはコネクタを手で支えなければならず、ユーザの使用感を損なう。
【０００８】
そこで、本発明は、コネクタの接続されたケーブルを情報処理装置筐体の外部に引き出し可能に保持して様々な配置状況に対応可能とするとともに、ケーブルが保持された状態でもコネクタの使い易さを損なわないコネクタつきケーブルの収納構造、および、コネクタの接続されたケーブルを筐体外部に引き出し可能に保持して様々な配置状況に対応可能とするとともに、ケーブルが保持された状態でもコネクタの使い易さを損なわないようにコネクタつきケーブルを保持する情報処理装置を提供することを目的とする。
【課題を解決するための手段】
【０００９】
本発明のコネクタつきケーブルの収納構造は、外部機器と接続されて信号の伝達を行うコネクタを一端に設けられた、紐状に形成された媒体であるケーブルを、筐体に回転可能に取り付けられたリールに巻きつけることにより筐体内部に収納し、コネクタを引き出す向きと異なる向きに力を加えることにより解除されるようコネクタを筐体に固定可能な固定部を有し、固定部の横方向断面視において、コネクタは、筺体の厚みに対応する複数の切り欠き部を有し、複数の切り欠き部が筺体に係合して固定された状態から、コネクタを筺体に近接する方向に回転させることにより、コネクタは筺体から解除されることを特徴とする。
【００１０】
本発明の情報処理装置は、請求項１に記載のコネクタつきケーブルの収納構造を有することを特徴とする。
【発明の効果】
【００１１】
本発明によれば、コネクタの接続されたケーブルを情報処理装置筐体の外部に引き出し可能に保持して様々な配置状況に対応可能とするとともに、ケーブルが保持された状態でもコネクタの使い易さを損なわないコネクタつきケーブルの収納構造、および、コネクタの接続されたケーブルを筐体外部に引き出し可能に保持して様々な配置状況に対応可能とするとともに、ケーブルが保持された状態でもコネクタの使い易さを損なわないようにコネクタつきケーブルを保持する情報処理装置を提供できる。
【図面の簡単な説明】
【００１２】
【図１】本実施形態の情報処理装置の筐体内部の構造を示す図である。
【図２】本実施形態の情報処理装置の筐体に設けられる固定部の断面構造の一例を示す図である。
【図３】本実施形態の情報処理装置の筐体に設けられる固定部の詳細な構造の異なる一例を示す図である。
【図４】本実施形態の情報処理装置の筐体に設けられる固定部の詳細な構造の更に異なる一例を示す図である。
【発明を実施するための形態】
【００１３】
以下、図面を参照して本発明を実施するための形態について詳細に説明する。本実施形態は、コネクタの接続されたケーブルを筐体外部に引き出し可能に保持する情報処理装置である。
【００１４】
図１は、本実施形態の情報処理装置の筐体内部の構造を示す図である。図１を参照すると、本実施形態の情報処理装置は、筐体１の内部にリール１０、ケーブル１１、コネクタ１２、固定部１３および図示しない情報処理部を有している。
【００１５】
筐体１は、情報処理装置の機能部品を収容し、外部と区画する。筐体１は、例えば樹脂や金属により構成可能である。リール１０は、筐体１に接続された軸を中心に回転可能に構成されており、後述するケーブル１１を巻き取る。リール１０は、一方向に回転するよう付勢されていてもよく、こうすることでケーブル１１を引き出した状態で維持する力を失わせるだけでケーブル１１をリール１０に巻き取るようにすることができる。また、リール１０は、ケーブル１１を引き出す力がなくなったところでロックし、再び引き出す力がかかるとロックが解除されるように構成されていてもよく、こうすることでケーブル１１を任意の流さだけ引き出した状態で保持しつつ、簡単な操作で収納することが可能になる。
【００１６】
ケーブル１１は、紐状に形成された媒体であり、一端に与えられた信号を他端に伝達する。本実施形態において、ケーブル１１は、絶縁体である樹脂に被覆された金属導体であり、後述するコネクタ１２と図示しない情報処理部とを電気的に接続してデータの送受信を行う。ケーブル１１は所定の柔軟性を有するため、リール１０に巻きつけて収納することができる。ケーブル１１はこのような構成に限定されず、被覆された光ファイバーなどでもよい。また、ケーブル１１によって伝達される信号はデータに限られず、電力を伝達するよう構成されてもよい。
【００１７】
コネクタ１２はケーブル１１の一端に設けられ、図示しない外部機器と接続されて信号の伝達を行う。コネクタは信号送受信用の端子を有し、外部機器の対応するコネクタの端子と安定した信号伝達をすることができるよう、端子同士の位置関係を規定するための物理的構造を有している。例えば、ＲＳ−２３２Ｃのように、オス−メスが嵌合する構造を有したコネクタが該当しうる。
【００１８】
固定部１３は、筐体１に設けられ、コネクタ１２を物理的に着脱可能に構成される。ケーブル１１がリール１０に巻き取られたときには、コネクタ１２を固定部１３に固定し、ケーブル１１を引き出して使用するときはコネクタ１２を固定部１３から外すようにすることができる。固定部１３は、筐体１の構造の一部として構成してもよく、別部材で構成して筐体１と接続するようにしてもよい。
【００１９】
図示しない情報処理部は、ケーブル１１の他端が接続され、ケーブル１１とケーブル１１の一端に設けられたコネクタ１２とを介して外部機器と接続される。情報処理部は、例えば情報処理装置である外部機器と接続されてケーブル１１を介してデータの送受信を行うよう構成されてもよく、電源である外部機器と接続されてケーブル１１を介して電源供給を受けるよう構成されてもよい。
【００２０】
次に、図２ないし図４を参照して、本実施形態の情報処理装置の筐体に設けられる固定部の詳細な構造を説明する。
【００２１】
図２は、本実施形態の情報処理装置の筐体に設けられる固定部の断面構造の一例を示している。図２を参照すると、ケーブル１１の一端に設けられたコネクタ１２は、ケーブル１１側の一端よりコネクタ１２から突出し、コネクタ１２から離反するように付勢されたつまみ２０と、つまみ２０と一体に形成された爪２１とを有している。
【００２２】
筐体１には、コネクタ１２に形成された爪２１を係止するように爪係止部３０が設けられている。ケーブル１１が巻き取られることによってコネクタ１２のケーブル１１側が筐体１に挿入されると、爪２１が爪係止部３０を乗り越えて係止され、コネクタ１２が固定される。この状態から、つまみ２０をコネクタ１２に向けて挟持すると、爪２１と爪係止部３０との係止が解除され、コネクタ１２を筐体１から引き出すことができる。すなわち、図２の例では、爪２１と爪係止部３０とが固定部１３を構成している。
【００２３】
続いて、図３は、本実施形態の情報処理装置の筐体に設けられる固定部の詳細な構造の異なる一例を示している。図３のうち、（ａ）は、コネクタ１２が情報処理装置の筐体１に挿入されたときの固定部の断面であり、（ｂ）は(ａ)におけるＡ−Ａ断面図であり、（ｃ）はコネクタ１２が情報処理装置の筐体１に固定されたときのＡ−Ａ断面図である。
【００２４】
図３（ａ）を参照すると、筐体１は、コネクタ１２の筐体に固定されるときの筐体面で切断した断面に対応する形状の開口を有しており、コネクタ１２には筐体１の厚みに対応した複数の切り欠き部３１を有している。図３（ｂ）は、コネクタ１２の有する切り欠き部３１の形状を示している。図３（ｃ）を参照すると、コネクタ１２は、筐体１に挿入された後に反時計方向に回転されることで、コネクタ１２の切り欠き部３１ａ、３１ｂ、３１ｃ、３１ｄがそれぞれ筐体１に係合して固定されている。この状態からコネクタ１２を時計方向に回転させると、切り欠き部３１ａ、３１ｂ、３１ｃ、３１ｄの筐体１との係合が解除され、コネクタ１２を筐体１から取り外すことができる。すなわち、図３の例では、筐体１の開口と複数の切り欠き部３１とが固定部１３を構成している。
【００２５】
次に、図４は、本実施形態の情報処理装置の筐体に設けられる固定部の詳細な構造の更に異なる一例を示している。図４を参照すると、ケーブル１１の一端に設けられたコネクタ１２は切り欠き部４１を有している。筐体１にはラッチ構造４０が設けられており、コネクタ１２が押し込まれると切り欠き部４１が係止されてコネクタ１２がロックされる。ロックされた状態でコネクタ１２を再度押し込むと、ロックが解除されてコネクタ１２を筐体１から取り外すことができる。すなわち、図４の例では、ラッチ構造４０と切り欠き部４１とが固定部１３を構成している。
【００２６】
固定部１３の構成例を記載したが、固定部１３の構成はこれに限られず、何らかの手段によってコネクタ１２を筐体１に固定するものであればよい。
【符号の説明】
【００２７】
１    筐体
１０  リール
１１  ケーブル
１２  コネクタ
１３  固定部
【図１】
0005542395.tif 000002
【図２】
0005542395.tif 000003
【図３】
0005542395.tif 000004
【図４】
0005542395.tif 000005